Podtech/llm-jp-corpus-v4-ja_patent huggingface dataset:
(57)【要約】      （修正有）【課題】従来、プランターでの丈の高い植物や、実のなる植物の栽培では、植物が倒れてしまい、栽培が困難であった。この発明は、プランター栽培の植物が倒れないようにするスタンドに関するものである。【解決手段】金属製の棒で形成した長方形の枠１、１を、金属製の棒でコの字型に形成した棒２、２の下部に向かい合わせに固定し、さらに、両方のコの字型の棒の上部の先端に金属製の棒３を固定する。そして、向かい合わせにした長方形の枠の間にプランターを置く。【選択図】図２
2004208674.tif 000002
【特許請求の範囲】
【請求項１】
（１）金属性の棒で長方形の枠１を２ケ設ける。
（２）金属性の棒で３辺の長さが違うコの字形棒２を２本設ける。
（３）金属性の棒３を設ける。
（４）コの字型棒２の短い方を上にし同じ向きで左右に立てる。
（５）長方形の枠１をコの字型棒２の下部に２ケ向かい合わせに立て，上部を互いに寄せて固定する。
（６）コの字型棒２の上部両先端に棒３を固定しつなぐ。
（７）向かい合わせに付けた長方形の枠１の間にプランターを置き、プランターから、添え木を棒３に付けた、プランターサポートスタンド。
【発明の詳細な説明】
【０００１】
【発明に属する技術分野】
この発明は、金属性の棒で枠組みした、スタンドにプランターを置き、植物の倒れを、防ぐものである。
【０００２】
【従来の技術】
今までは、プランターでの栽培する植物は、丈が短い物しか出来なかった。
野菜等の栽培は無理だった。
【０００３】
【解決しようとする課題】
したがって、プランターで栽培する植物が限定されていた。
本発明は、使用者のいろんな植物栽培に応えるために、発明されたのである。
【０００４】
【解決するための手段】
今その構成を説明すると
（１）金属性の棒で長方形の枠１とコの字型棒２を、それぞれ２つ設ける。
（２）コの字型棒２に長方形の枠１を向かい合わせ組む。
（３）棒３をコの字型棒２の上部両端で、固定する。
（４）向かい合わせに組んだ長方形の枠１の間に、プランターを置く。
（５）添え木をプランターに立て、上部を棒３に固定する。
以上のように構成する。
【０００５】
【発明の実施の形体】
次に、本発明の実施の形体を述べると、プランターに、植えた植物が丈が高くなったり、実を付けると、倒れたりしてしまう。
したがって、向かい合わせに組んだ長方形の枠１の間に、プランターをのせると、プランターの重みで、スタンドが安定し、植物の幹の近くに添え木を差込み上部を棒３に固定する。
なお、コの字型棒２の下の部分の棒を長くすれば、より丈の高い植物も栽培でき、巾広い栽培が可能になる。
【０００６】
【発明の効果】
だから、プランターに植えた植物は、倒れずに成長する。
又場所の狭い所や日当たり条件等でも、棒３を持てるので、移動するのもらくである。
【図面の簡単な説明】
【図１】本発明の斜視図
【図２】本発明の使用斜視図
【符号の説明】
１は長方形の枠
２はコの字型棒
３は棒
【図１】
2004208674.tif 000003
【図２】
2004208674.tif 000004
(57)【要約】【課題】海洋深層水の利用方法として取水した海水状態では成分蒸発、保管スペース問題、搬送コストアップ、加工上で他の配合成分との融合、調和が難しく、海水状態では不便要素が大きいことから成分を濃縮し成分効果を維持しながら粉末、顆粒、固形物加工することで管理コストを削減、搬送コストダウン、長期保管可能な加工にした。【解決手段】海洋深層水の成分を逃さない為に真空状態から冷凍、乾燥加工し冶具等や凝固剤を配合することで濃縮成分（粉末、顆粒、固形等）を造りだした。【選択図】  なし【特許請求の範囲】
【請求項１】
水深２００ｍ以深の深さから取水された海水（以下、海洋深層水と称す）を真空状態の中で冷凍後に色々な形状に乾燥して仕上げる製造方法。
【請求項２】
山間部、平野部等の淡水を海水に換える有機調合添加剤としての真空冷凍乾燥加工方法、及び真空冷凍乾燥した海洋深層水を使用しての養殖法。
【請求項３】
作物、穀物、果樹等の有機肥料とした真空冷凍乾燥顆粒、固形加工方法。
【請求項４】
海洋深層水のミネラル成分を真空の状態で濃縮冷凍乾燥し本来の成分養分を外部に逃さない製造加工方法。
【請求項５】
海洋深層水の真空冷凍乾燥により、有形物質に加工し、本来の海洋深層水に含まれる成分を他のアロマテラピー施設、保養施設等に使用する方法。
【請求項６】
他の食品、化粧品、健康食品等の使用目的として海洋深層水を真空冷凍乾燥処埋による粉末、顆粒、錠剤等に加工する製造一切の加工方法。
【発明の詳細な説明】
【０００１】
【発明の属する技術分野】
本加工方法は海洋深層水を真空状態から冷凍乾燥する事で濃縮凝固物質（天然ミネラル等）を採取する製造方法に関して。
【０００２】
【従来の技術】
液体状の乾燥技術としては、冷凍乾燥や熱乾燥などが製造加工方法の主体でした。
【０００３】
【発明が解決しようとする課題】
今までの加工技術では、本来の海洋深層水に含まれるミネラル栄養分を外部に漏らさず濃縮して乾燥物質に変えることに問題があった。
【０００４】
従来の加工技術からいくと、大型設備機械から設置面上、広い加工場（スペース）が必要になる問題等がある。
【０００５】
外気混入から加工段階で不純物や成分自体の変質、成分要素低下等が心配される問題点がある。
【０００６】
【課題を解決するための手段】
上記問題を解決する為に、本発明は加工前の物質が本来含有している栄養成分を真空状態で処理、冷凍乾燥する事で、有機成分を外部に逃さず濃縮状態に加工でき、又、変質及び劣化を防ぐ加工とする。
【０００７】
又、本発明技術により処理後を異種形状（粉末、顆粒、固形、粘体）等に加工することで他の開発転用剤として利用しやすくなる。
【０００８】
この加工方法は冷凍から乾燥まで設備機内で一貫システムとなっており初期データーを入力するだけで自動的に処理されることから、本体自体コンパクトに設計され作業場の設置が小スペースですむ利点がある。
【０００９】
【発明の実施の形態】
取水した海洋深層水を真空室の中で−６５度に４時間冷凍し１２時間乾燥する事により深層水含有成分のみを濃縮した状態で採取が可能となる。乾燥時間と治具型や凝固剤配合とにより異種形状や乾燥度合いの調節が可能となる。
【００１０】
【実施例】
現在、枝豆の真空冷凍乾燥の食品開発や竹酢液の粉末、顆粒、錠剤等の研究商品化がされている。
【００１１】
【発明の効果】
本発明は、以上説明したように構成されているので、以下に記載されるような効果を奏する。
【００１２】
従来の食品添加物等においては加工段階で栄養成分が外気放出等により本来の成分維持ができなかったが真空濃縮加工ではほとんど見られない。
【００１３】
完全乾燥状態から液体（水類）に瞬時に解けやすく、融合しやすい。又、栄養成分も完全凝縮状態にあり２次加工時においては調合のしやすい利点がある。したがって、山間地や平野部の淡水を濃縮加工粉末調和により魚介・貝類の養殖等も可能となる。
【００１４】
凝固剤と同時に真空冷凍乾燥することで顆粒、固形形状の深層水成分ができ、作物や穀物等の肥料として使用することから豊富なミネラル補給が可能になり有機栽培上では効果の高い栄養分となります。
【００１５】
又、海洋深層水の成分には豊富なミネラルが含まれ畑作、果樹関係等には発育肥料はもとより防虫効果、菌の培養を防ぐ効果があり粉末及び課粒状にした場合、利便性からいっても使いやすい。
【００１６】
他の食品添加物としても濃縮成分から配合計算がしやすく、乾燥度が高いことから他の添加物との配合、融合が早く使用に適している。又、化粧品等でも化粧成分とも融合、溶解が早く、加工上大変便利である。
【図面の簡単な説明】
【図１】図１の１にて原料を濾過洗浄、殺菌検査し２の真空冷凍乾燥機に棚トレーに整理した状態で搬入します。３では製造目的にあわせ治具や凝固剤等を添加し真空状態で冷凍から乾燥と自動コンピューター制御システムで作業が進められます。
４では乾燥終了の確認後、取り出しと同時に個々の形状２次加工にまわされます。５は製品完成出荷となります。
【符号の説明】
１          原料
２、３、４  真空冷凍乾燥機
５          製品
【図１】
2004208681.tif 000002
(57)【要約】【課題】雑草は刈取った後もすぐのびて来るため、刈払機の利用が必要ですが、円盤の刃の重量と左、右に振りながら作業するために体の疲労も大変であって、エンジンの廻転を強くしても良くならなく、この不合理を解決する事を目的とす。【解決の手段】直方形の基板（刃を取り付ける直方形の板を指す）（図１）を創作する事により（図２）の左、右の刃が駄目になったら取り替える事に依り無駄を省いて資源の節約となり利用価値が大きく変化した事により刈払機の刃を提供する。【選択図】図１
2004208625.tif 000002
【特許請求の範囲】
【請求項１】
１枚の直方形の基板（図１）に左、右にワンタッチで刃が（図２）の取り付が出来る（図３）の刃に依って軽くなった刈払機の刃
【発明の詳細な説明】
【０００１】
【発明の属する技術分野】本発明は刈払機の刃は大半が円盤の刃が市販されているが、其の利用については４５０ｇ〜５００ｇの円盤型の刈刃を刈払機のメンパイプ（円盤の刃を付けて振るパイプ）を左、右に振りながら作業する点で多くの面で無駄が多くこれを解消したものである。
【０００２】
【従来の技術】
従来の刈払機として軽量なナイロン紐がありますが、こわい雑草であればナイロン紐に依りむしり取る様になる、市販されている刈刃は丸い盤面に多数の丸い穴を大、小にあけて軽量になっているが、ノコギリ歯になっているので、ノコギリは手元より切り込んでいく方法であり鎌で草をなぎ、はらう様にはいかない、従来の刈刃のノコギリ歯にはチップソが利用されていてチップソーが落ちれば雑草が切れがわるくなり補修せずクラップになる、エンジンの廻転が速くすると円盤のうなり音が高くなり振動もよく体に感じると共に刈刃が重ければ疲労も大きくなる。
【０００３】
【発明が解決しようとする課題】
本発明は刈払機の刃が、長いメインパイプの先端に円盤型の刃を取り付けて高速回転するために円盤の円心力の振動とエンジンの鼓動が体に傅たわって来ると共にメインパイプの先端の刃を左、右に振る事により自然と疲労が多くなる点に注目し、これを改良すれば新しい利用法が出来る事に着目し、其の研究に取り組んだ。
【０００４】
【課題を解決しようとする課題】
本発明は、刈払機の回転ギヤーの刃受け金具に▲２▼直方形の替刃を取付ける基板（図１）（刃を取り付ける直方形を基板とする）左、右に刃がワンタッチで取り付ける様に発明した刈払機の刃である（図２）、刃の片方は▲３▼トンネル形の受け口にさし込んで固定する、反対方向は刃の中央の穴▲２▼に基板より固定しているボルトに穴を合せて、ちょうナットでしめつける、ちょうナットのちょうの部分は小さくして雑草が巻きつかぬ様に工夫する、刃と基板の取り付けボルトは安全性から８ｍｍの規格品のボルトを使用する作業の振動に依り、ちょうナットのゆるみを考え刃と基板の密着面にゴム板を接着する▲６▼ちょうナット端に基板から出ているボルトの先にピン穴をあけてＲピンをさして刃のはずれを予防する。
【０００５】
【発明の実施の形態】
▲１▼本発明の構成は、鋼板の直方形の基板（刈刃を取り付ける直方形の板をさす）を設定する（図１）
▲２▼刈払機の両端にワンタッチで取り付けの出来る刃を取り付けた（図２）である
▲３▼基板に替刃としてワンタッチで取り付ける刃（図３）です
▲４▼発明した、刈払機の刃が、切れなくなり不良となれば左、右２枚で９０ｇがスクラップになります。
本発明品は、この方法に依り、刃の軽量化と資源の節約が出来ると共にメインパイプの先の刃が軽くなる事により疲れがあまり感じなく大変に率がよく進歩的な発明品と思う。
【０００６】
【発明の効果】
従来の市販されている、円盤形の刃は２４ｃｍ〜２５ｃｍの直経の円盤体であるから雑草等の接する抵抗がある、発明品では普通の雑草では物に対す抵抗が小さいから、刈った雑草が飛び散った様になる、発明品は不良になって取り替えるにしても左、右で２枚で９０ｇがスクラップになる、円盤形の市販の刃は４５０〜５００ｇであるので資源の節約が大きく、発明品では経量であるから作業状態もよく円盤のひびく様な音がなく作業活動も精力的に出来るから能率も向上する。
【図面の簡単な説明】
【図１】本発明の平面図
【図２】本発明の替刃の取り付いた平面図
【図３】本発明に使用する替刃の平面図
【符号の説明】
▲１▼  直方形の基板
▲２▼  回転ギヤー（刈刃を回転させてるギヤー）と刈刃の接続部
▲３▼  替刃の片方を固定する止口
▲４▼  替刃と基板とを止めているボルト口
▲５▼  替刃の刃
▲６▼  基板と刃の密着部にゴムのうすい板を接着する
【図１】
2004208625.tif 000003
【図２】
2004208625.tif 000004
【図３】
2004208625.tif 000005
(57)【要約】［課題］猫又は犬が家の中で床や壁を傷つけたり汚したりしないで、運動をしてダイエットできる機械を提供する。［解決手段］円柱形を横にした容器の中に獲物となる模型をぶら提げて猫又は犬が、それを捕らえようとして、走ることによって容器が回転をはじめることで運動が継続されることによりダイエットできる機械である。【選択図】    図１
2004208614.tif 000002
【特許請求の範囲】
【請求項１】
円柱形を横にした容器の中で、猫又は犬が興味を引く模型をぶら提げて置き、猫又は犬がその模型を追い続けて運動できる機械である。
【請求項２】
円柱形の容器の中心に一つと内側又は外側に数個滑車車をつける事により、回転をスムーズにし重みにも耐えることが出来る機械である。
【請求項３】
猫又は犬が回転しすぎてケガをしないように、円柱形の中に防御ネット又は板をつけた。
【請求項４】
猫又は犬が興味を引く模型は、猫又は犬の種類や大きさに応じて、位置を自由に変える事ができる。
【請求項５】
猫又は犬が興味を引く模型は、つまみの部分を、長めに外へ出しておき、外から人が模型を揺らして注意を引くことが出来たり、引っ掛けて固定することが出来る機械である。
【請求項６】
ドアを閉めて猫又は犬を中央にあるハンドルで強制的に円柱形の籠を回して、運動させる事が出来る機械である。
【発明の詳細な説明】
【０００１】
［発明の属する技術分野］
本発明は、猫又は犬が運動不足を解消するため、興味を引く模型を求めて、籠の中で走ったり、ハンドルを回して強制的に走らせることも出来る機械である。
【０００２】
［従来の技術］
従来は、籠や檻の中で運動させる物はなく、外で自由にオモチャや道具を使って運動させていた。しかし、外では床や壁が傷がついたり汚れたりして困っていた。
【０００３】
［発明が解決しようとする課題］
籠の中であれば、床や壁もキズがついたり汚れないし、強制的に運動させることも出来る。
【０００４】
［課題を解決するための手段］
模型の獲物を求めて、走る事により容器を回転させ運動を継続させる。
【０００５】
［発明の実施の形態］
以下、本発明の実施の形態について説明する。
（イ）ドア７より猫又は犬を入れる事により、獲物を取ろうとよじ登る事により、容器は回転して運動することとなる。
（ロ）猫又は犬が興味を示さなくても、ハンドル９をまわす事により強制的に運動することとなる。
【０００６】
［発明の効果］
家の中でもこれを使えば、十分なダイエット運動となる。
【図面の簡単な説明】
【図１】本発明の正面図である。
【図２】本発明の側面図である。
【符号の説明】
１  猫又は犬が興味が興味を引く模型
２  猫又は犬
３  滑車車
４  円柱形を横にした容器
５  防御ネット又は板
６  模型を吊るすつまみ
７  猫又は犬が出入りするドア
８  模型を自由な位置に固定できる穴
９  円柱形を横にした容器を回すハンドル
１０  円柱形を横にした容器の回転軸
【図１】
2004208614.tif 000003
【図２】
2004208614.tif 000004
(57)【要約】【課題】ライスロールとは、調理飯を巻寿司のような形状にし具材をかえ、海苔では無くベーコン等で巻き物にし、アルミ包装紙で包みそのままグリル調理する、焦げた食感を提供する新感覚の簡単調理なファーストフードである。【解決手段】従来のおにぎりや、巻寿司のように簡単な作業で商品を提供していた物に、焼いて焦がすといった作業を付け加える事によって新感覚の商品が提供できる。また、調理飯に乗せるトッピングを替える事によって色々なバリエーションが広がる。【選択図】      図１
2004208620.tif 000002
【特許請求の範囲】
【請求項１】
既存の巻寿司を応用した調理加工加熱食品で、海苔の代わりに形成ベーコンを、寿司飯の代わりに加工飯を用いて、具材をトッピングにかえアルミホイルで巻き円筒状に形成しそのままグリル調理する、焦げた食感を提供する新感覚の簡単調理なファーストフードをライスロールとする。
【発明の詳細な説明】
【０００１】
【発明の属する技術分野】
【０００２】
コンビニエンスストア、冷凍食品工場、給食、ファーストフード店等々で、おにぎり、巻寿司にかわる、従来には無い感覚や味覚で、米を食する上での調理加工技術を含めた発明である。
【従来の技術】
【０００３】
今までは、ご飯の中に入れる具材をかえるだけで、単純に握る、巻く、といった簡単な作業で商品を提供していた。
【発明が解決しようとする課題】
【０００４】
簡単な作業で商品を提供していた物に、焼いて焦がすといった作業を付け加える事によって、新感覚で今までに無い新しい味覚の商品が提供できる。
【課題を解決するための手段】
既存の巻寿司を応用した調理加工加熱食品である為、海苔の代わりに形成ベーコンで、寿司飯の代わりに加工飯を用いて、具材をトッピングにかえアルミホイルで巻き円筒状に形成しそのままトースターで本発明品を焼く事で完成した。
調理加工飯の味付けをかえることによって、色々なバリエーションにとんだ製品の開発ができる。従来のおにぎりや、巻寿司にかわる簡単調理で出来る新感覚のファーストフードである。
【０００５】
【発明実施の形態】
以下、本発明の実施例について図面上の絵や記号を用いて説明する。
手順・イ  既存のアルミホイルを敷きその上に若干のオイルをなじませ形成ベーコンを並べる。その上に加工飯を巻寿司の要領でのせる。巻寿司の具材の置く位置に、代わりになるトッピングをのせ以下のように巻く。
手順・ロ  ２−ＡＡから２−Ａ辺を手前にして、Ｘ点を中心点とし１−ＡＡから１−Ａ辺側に巻く事で巻き寿司のように形成する。巻き寿司のような形態１−Ａから２−Ａ辺側、１−ＡＡから２−ＡＡ辺側を摘みねじる事により、完成図のように仕上がる。これを、ライスロールの原形とする。
本発明は以上の過程を経て出来た、ライスロールの原形をオーブンやトースターで焼くというグリル調理する事で今までにない新感覚のファーストフードを提供する事が出来る。
【０００６】
【発明の効果】
今までに無い食感を提供出来る事と、従来の食品工場での生産ラインやセントラルキッチンを使用出来ると思われるので大量生産が可能であると思われる。
【図面の簡単な説明】
【図１】本発明品の展開図である。
【図２】本発明品の経過図である。
【図３】本発明品の完成図である。
記号説明１−Ｂは、アルミホイル
２−Ｂは、形成薄切ベーコン
３−Ｂは、トッピング、例としてトマトソースを記載
４−Ｂは、加工飯
５−Ｂは、加工飯の具材
【作業手順】
図−１    ２−ＡＡから２−Ａ辺を手前にして、Ｘ点を中心点とし１−ＡＡから１−Ａ辺側に巻く事で巻き寿司のように形成する。
図−２    巻き寿司のような形態
図−３    １−Ａから２−Ａ辺側、１−ＡＡから２−ＡＡ辺を摘みねじる事により完成図のように仕上がる。これを、ライスロールの原形とする。
【図１】
2004208620.tif 000003
【図２】
2004208620.tif 000004
【図３】
2004208620.tif 000005
(57)【要約】【課題】本発明は、タバコの有害なプラスイオンを無害化するためにマイナスイオンの発生するタバコフィルターを提供する。【解決手段】マイナスイオン発生物質をタバコフィルター内に配置し有害なタバコのプラスイオンをマイナスイオンによって中和させることによって、無害化させる。【選択図】  図１
2004208616.tif 000002
【特許請求の範囲】
【請求項１】
マイナスイオン効果を有するタバコフィルター
【請求項２】
請求項１の構成を喫煙用タバコパイプに設けたマイナスイオン効果タバコフィルター
【発明の詳細な説明】
【０００１】
【産業の利用分野】
この発明は、マイナスイオン発生物質が放出するマイナスイオンを利用したタバコフィルターに関するものである。
【０００２】
【従来の技術】
従来のタバコフィルターは、化学繊維や活性炭などによってニコチンやタールを吸着させ減少させるだけであったが、マイナスイオンを利用するものは無かった。
【０００３】
【発明が解決しようとする課題】
この発明は、喫煙したときのタバコの煙に含まれる人体に有害なプラスイオンを減少させる事を主な目的とする。
【０００４】
【課題を解決するための手段】
本発明は、タバコフィルター内にマイナスに帯電するトルマリン・セラミック等を有することにより、タバコの煙の有害なプラスイオンを中和させる。
【０００５】
【発明の実施の形態】
本発明のマイナスイオン入りタバコフィルターを有するタバコを喫煙すると、タバコ葉の燃焼に因って発生したタバコの煙はフィルターを通ってマイナスイオン発生物質の部分を通過する。この時に煙に含まれるプラスイオンはマイナスイオンと中和し浄化される。図１、はフィルターとフィルターの間にトルマリン等をはさみこんだタイプであり、図２、はフィルターの繊維の間に分散して配置したタイプである。
【０００６】
【発明の効果】
タバコの煙は、大量の有害な化学物質で構成され、プラスイオンとなって体内に入り込み人体に悪影響を及ぼします。またプラスイオンは人体組織の細胞を酸化して老化を早めます。タバコを喫煙する時、そのタバコが本発明のマイナスイオンを有するものであればタバコの煙のプラスイオンをマイナスイオンによって中和させる為、体内に入り込むプラスイオン量を抑えることが出来る。またマイナスイオンには消臭効果もあり、嫌なタバコ臭を抑える効果もある。
【図面の簡単な説明】
【図１】本発明の分解斜視図である。
【図２】本発明の他の実施例の分解斜視図である。
【図３】本発明の他の実施例の断面図である。
【符号の説明】
１．紙筒
２．タバコ葉
３．トルマリン等
４．フィルター
５．フィルター
６．吸い口
７．喫煙用タバコパイプの筒
８．喫煙用タバコパイプの吸い口
【図１】
2004208616.tif 000003
【図２】
2004208616.tif 000004
【図３】
2004208616.tif 000005
(57)【要約】【課題】真空冷凍乾燥加工により賞味期間が延長でき、ムキ豆当の栄養分を損なわず、風味を長い期間保持する事、又完全ドライ乾燥の為丸ごと食べる事が出来る。【解決手段】−６５度の真空冷凍を真空状態で１２時間完全乾燥する事とサヤ外皮一部円周にアルコール成分を浸透させ−６５度の真空冷凍を真空状態で１２時間乾燥する局部ドライ乾燥をする。【選択図】  なし【特許請求の範囲】
【請求項１】
茹で枝豆をサヤ付き状態のまま真空状態で乾燥し、商品成分の殆どが加工の段階で外部に放出されず濃縮した状態に出来上がる加工法。
【請求項２】
加工済の商品については、鞘がらみ食べることが可能な真空冷凍乾燥方法。
【請求項３】
枝豆を局部的に真空冷凍乾燥が出来る加工法。
【請求項４】
本加工は、長期保存・鮮度維持をもたらす目的。
【発明の詳細な説明】
【０００１】
【発明の属する技術分野】
採りたての枝豆（サヤ付き・むき枝豆）を真空冷凍乾燥加工と部分真空冷凍乾燥の処理加工に関して。
【０００２】
【従来の技術】
従来の加工は油揚げ処理又は熱乾燥によるものが多い。味変化等が発生し長い期間鮮度維持が出来ない状態です。又、部分的加工が出来ず、食材加工が一定した処理のみとなる。
【０００３】
【発明が解決しようとする課題】
従来の加工方法では油焼けや本来の食材の栄養分を加工の際に外部に放出する、又、完全乾燥にいたらず長期に保管することが出来ない、食材にあわせた部分加工が出来ない問題点がある。
【０００４】
本加工は原料成分の栄養素を加工段階で外部放出せず１００パーセント近い濃縮加工品で食味等の品質を維持でき、又、部分加工技術により食材の特長を生かし、商品の酸化を防止し長期間保存できる目的とする。
【０００５】
【課題を解決するための手段】
上記の目的を達する為に真空冷凍乾燥装置で丸ごと鞘付枝豆を加工することで栄養分を濃縮１００％維持することが出来る。
【０００６】
本加工は部分的に冷凍乾燥時間を調節する事で、商材特徴に合わせ乾燥と生乾燥をすることが出来、２次加工惣菜等では本来の味を失わずに対応ができる。
【０００７】
完全乾燥により酸化を防ぎ長期鮮度維持を可能にした。
【０００８】
【発明の実施の形態】
本加工は鞘付枝豆を−６５度に４時間冷凍してさらに１２時間の乾燥をおこなう加工技術である。
【０００９】
鞘付枝豆の外皮に茹で上がり後に円周局部にアルコール類液を塗り加工すると円周部を境に半分に簡単に分かれ、処理済部と未処理済部で殻が割れやすい状態になる。
【００１０】
【発明の効果】
本発明は、以上説明したように構成されているので、以下に記載されるような効果を要する。
【００１１】
真空加工処理により細菌の培養を少なくでき、栄養成分の真空乾燥による濃縮食材加工が可能になり食味等も本来のものになります。
【００１２】
鞘に部分加工した場合、中心部より割れやすく食べる際に簡単に食べやすい状態になります。
【００１３】
鞘付の完全乾燥処理により丸ごと食べることが出来、外皮に含まれる栄養素の高いポリフェノール成分を阻害したりせず摂取しやすくなります。
(57)【要約】【課題】酸味・酸臭がなく、優れた食味を有する低pH食品を提供することを目的とする。【解決手段】酸処理するか、あるいは酸処理された食品を、シュクロース、マルトース、フラクトース、グルコースおよびオリゴ糖から選択された少なくとも１種の糖類を含む溶液および食塩を含む溶液とで処理する低pH食品の製造方法およびその方法によって得られた低pH食品。【選択図】      なし【特許請求の範囲】
【請求項１】
低pH食品中に、シュクロース、マルトース、フラクトース、グルコースおよびオリゴ糖から選択された少なくとも１種の糖類０．０５〜２．５重量％および食塩０．０２〜０．８５重量％を含有することを特徴とする、低pH食品。
【請求項２】
酸処理するかあるいは酸処理された食品を、シュクロース、マルトース、フラクトース、グルコースおよびオリゴ糖から選択された少なくとも１種の糖類を含む溶液および食塩を含む溶液とで処理することを特徴とする低pH食品の製造方法。
【発明の詳細な説明】
【０００１】
【発明の属する技術分野】
本発明は、酸処理することで保存性を高める低pH食品および低pH食品の製造方法に関する。
【０００２】
【従来の技術】
長期保存麺のように近年発達した長期保存食品の中にはpHを下げることにより保存性を確保する食品がある。この保存性を維持するためには食品の表面だけでなく、微生物が内部に存在する場合には食品の内部まで低pH状態にしなければならない。
しかしながら、食品の内部まで低pH状態にすると、自ずと食品の内部まで酸味・酸臭を呈することになる。しかし、多くの食品においてはこの酸味・酸臭は食味・風味の点では好ましいことではない。
【０００３】
これらの欠点を解消するために、例えば麺生地にグルコノデルタラクトンを添加して製麺した後に茹であげ、さらに、これをアジピン酸と甘味料の混合水溶液に浸漬してpHを４．５以下とした後、フィルム包装し加熱殺菌することを特徴とする保存性にすぐれた茹麺の製造方法（特許文献１参照）、あるいは茹麺用pH調整剤としての酸類に、糖類と動植物蛋白質加水分解物とを添加配合したことを特徴とする茹麺用保存剤（特許文献２参照）等が知られている。
しかしながら、これらの方法も未だ満足し得るものではなかった。
【０００４】
【特許文献１】
特開平５−１５３３０号公報
【特許文献２】
特開平９−２４８１４８号公報
【０００５】
【発明が解決しようとする課題】
そこで、本発明者は、酸処理することで保存性を高める低pH食品を製造する場合に、酸味・酸臭に由来する食品の低下を来たすことなく、保存性を高める方法について種々研究した結果本発明を完成するに至った。
【０００６】
【課題を解決するための手段】
すなわち、本発明は、低pH食品中に、シュクロース、マルトース、フラクトース、グルコースおよびオリゴ糖から選択された少なくとも１種の糖類０．０５〜２．５重量％および食塩０．０２〜０．８５重量％を含有する、低pH食品、および酸処理するかあるいは酸処理された食品をシュクロース、マルトース、フラクトース、グルコースおよびオリゴ糖から選択された少なくとも１種の糖類を含む溶液および食塩を含む溶液とで処理してなる低pH食品の製造方法に関する。
【０００７】
【発明の実施の形態】
本発明の低pH食品の対象となる食品としては、例えば麺類、漬物、嗜好食品、惣菜、野菜、米飯、餅加工品、水産加工品、食肉加工品、揚げ製品、味噌、ソース類、果実飲料、乳製品等が挙げられる。
【０００８】
本発明の食品を酸処理して低pH食品を調製するために使用する酸としては、通常の食用で使用できる酸であればいずれのものでも好適に使用できるが、pHを低減させるために必要な量が少量でよくかつ酸味・酸臭の質が穏やかになる乳酸とグルコン酸との組合せが好ましい。
【０００９】
低pH食品の保存性を確保するためには、この低pH食品のpHを４．０〜５．０に保持することが必要である。そのために酸溶液で処理する場合には酸溶液のpHを２．０〜５．０に調整することが好ましい。
【００１０】
低pH食品の酸味・酸臭を抑制するために用いられる物質の１成分である糖類としては、シュクロース、マルトース、フラクトース、グルコースおよびオリゴ糖から選択された少なくとも１種のものを使用する。
低pH食品の酸味・酸臭を抑制するためには、この低pH食品中に糖類として０．０５〜２．５重量％存在していることが必要である。そして糖類溶液として処理する場合通常０．１〜５重量％の糖溶液を用いることによって本発明の目的が達成される。
【００１１】
また低pH食品の酸味・酸臭を抑制するための他の成分である食塩は、低pH食品中に食塩として０．０２〜０．８５重量％含有していることが必要である。そのためには食塩水で処理する場合、通常食塩を０．１〜３．０重量％含有する食塩水を用いることによって本発明の目的が達成される。
【００１２】
本発明の低pH食品を得るための具体的な処理方法としては、（１）酸処理をするための酸溶液に所定量の食塩および糖類を添加した混合溶液で処理する方法（２）酸で処理済の食品を食塩水および糖溶液でそれぞれ処理する方法（３）酸で処理済の食品を食塩および糖類の混合溶液で処理する方法（４）食品の調製時に予め食塩および／または糖類を配合し、食品中に配合しなかった食塩あるいは糖類のいずれかの溶液で処理する方法等の種々の方法が採用できる。しかしながら工業的には酸、食塩および糖類の混合溶液で処理することが好ましい。
【００１３】
この溶液による処理手段としては浸漬法、散布法等種々の方法が採用できるが、工業的には浸漬法が最適である。
【００１４】
【実施例】
次に本発明をさらに具体的に説明するために実施例を掲げるが、本発明は以下の実施例のみに限定されるものではない。
【００１５】
実施例１〜１０、比較例１
乾スパゲティを茹でて、歩留り２３０％の茹スパゲティを得た。得られた茹スパゲティを、発酵乳酸０．８重量％、グルコン酸０．８重量％、食塩０．５重量％および表１に示す種類および濃度の糖を含有する混合水溶液に１分間浸漬し、低pHスパゲティを得た。
【００１６】
【表１】
2004208532.tif 000002
【００１７】
得られた低pHスパゲティについて表２に示す評価基準に従って１０名のパネラーで評価試験を行った。その評価結果を示せば表１のとおりである。
【００１８】
【表２】
2004208532.tif 000003
【００１９】
実施例１１〜１３
乾スパゲティを茹でて歩留２３０％の茹スパゲティを得た。得られた茹スパゲティを発酵乳酸０．８重量％、グルコン酸０．８重量％、食塩０．５重量％および表３に示す濃度のマルトオリゴ糖を含有する混合水溶液に１分間浸漬し、低pHスパゲティを得た。
得られた低pHスパゲティを実施例１〜１０と同様に表２に示す評価基準に従って評価試験を行った。次にその評価結果を示せば表３のとおりである。
【００２０】
【表３】
2004208532.tif 000004
【００２１】
【発明の効果】
本発明によって得られる低pH食品は、長期にわたり保存することができ、かつ酸処理による酸味・酸臭がなく優れた食味を有する。
(57)【要約】      （修正有）【課題】訪問入浴で使用する移動入浴用浴槽に関する物で、寝たきりの障害者がベッド脇で入浴する浴槽を、ジャグジー風呂にする為の装置に関する物である。【解決手段】浴槽又は湯わかし機より給湯ホース６でポンプにお湯を通し加圧、空気混合ジョイントホース５で空気取り入れ管８からの空気で、空気混合部１９で気泡を作り、噴き出し口２より浴槽内に噴出させて、ジャグジー風呂を可能にした訪問入浴用、移動浴槽である。【選択図】図２
2004208991.tif 000002
【特許請求の範囲】
【請求項１】
（イ）  ホースの先端に空気混合部（１９）を作り、空気取り入れ管（８）を取り付けジョイント（２０）を設ける。
（ロ）  湯沸し、又は浴槽内のお湯をポンプ（１０）で加圧し、空気混合ジョイントホース（５）に送湯し、空気取り入れ管（８）からの空気を混合させ、噴き出し口（２）より噴き出す。
以上の如く構成された、移動ジャグジー風呂用空気混合ジョイントホース。
【発明の詳細な説明】
【０００１】
【発明の属する技術分野】
この発明は、訪問入浴に使用する浴槽を、ジャグジー風呂にする為の装置で、持ち運びするので重量を軽くするために浴槽とポンプを別にできるようにする、空気混合ジョイントホース装置に関するものである。
【０００２】
【従来の技術】
従来の移動浴槽で訪問入浴に使用すると、入浴利用者より体が温まらない（セットをして入浴が終了するまで３０分前後）などの声があり、体力の弱い入浴者が心配であった。
【０００３】
【発明が解決しようとする課題】
したがってジャグジー風呂を使用できるよう、問題解決のため本発明は、移動入浴（訪問入浴）のさい、各家庭を訪問して入浴利用者のベット脇まで浴槽を持ち込むために重さや、幅などに制限があり、浴槽とポンプ一体では、使いがってが悪く、無理があった。本製品はこうした点を解決するため、ポンプ内に空気取り入れ口があったものを、ポンプと空気取り入れ口を別々にし、浴槽とポンプを別に出来るようにしたものである。
【０００４】
【課題を解決するための手段】
いま、その構成を説明すると、
（イ）  浴槽内に、お湯取入れ口（１３）を設け、その前面にろ過機（２３）を取り付ける。
（ロ）  ホース両先端にジョイント（７）を付けた給湯ホース（六）を設ける。
（ハ）  ポンプ（１０）を設ける。
（ニ）  ホース、一方にポンプへのジョイント（２１）を取り付け、もう一方に空気混合部（１９）を設け、空気取り入れ管（８）を取り付ける。
（ホ）  浴槽（１）に噴き出しジョイント（４）噴き出し口（２）を取り付ける。
以上の各部分を順番につなぎ、浴槽内に気泡とお湯を出す装置
【０００５】
【発明の実施の形態】
次に本発明の実施の形態を述べると、ジャグジー風呂の気泡を作るのに、ポンプ内で空気を混合するのではなく、本発明は浴槽に取り付ける空気混合部（１９）で、
【図４】の如く、ホース（５）の内側に空気取り入れ管（８）を差し込んで、ホース（５）にポンプより加圧されたお湯が通湯口（１１）を勢いよく流れる事により、空気取り入れ管（８）の空気は、通空気口（１８）より、お湯の流れに吸い込まれ、気泡が発生してジャグジー風呂が可能になる。気泡の量は空気取り入れ調節部分（９）の回転で調節できるようになっている。なお空気混合部（１９）の部分は合成樹脂で固めてあるが、バンド止めや、ネジ込みなどの方法が可能である。又固定された浴槽や水槽などの気泡を作るのにも使用できる。
【０００６】
【発明の効果】
したがって空気取り入れを、ポンプと別にした事により、ポンプを横にしても、縦にしても、水漏れの心配もなく自由に使え又浴槽と分離できるので、持ち運びが良くなり移動入浴で、ジャグジー風呂が出来るようになる。
【図面の簡単な説明】
【図１】移動入浴用浴槽横図面
【図２】本発明ジョイント部分拡大図
【図３】本発明空気混合ジョイントホース拡大図
【図４】本発明空気混合部分拡大断面図
【図５】お湯取り入れ部分拡大図
【図６】お湯取り入れホース拡大図
【図７】移動入浴用浴槽上部図
【図８】浴槽内お湯取り入れ部分拡大図
【符号の説明】
１は  浴槽
２は  噴出し口
３は  浴槽淵
４は  噴出しジョイント
５は  ホース
６は  給湯ホース
７は  ジョイント
８は  空気取り入れ管
９は  空気取り入れ調節部分
１０は  ポンプ
１１は  通湯口
１２は  排水管
１３は  お湯取り入れ口
１４は  給湯管
１５は  アース付電気コード
１６は  パッキン
１７は  排水口
１８は  通空気口
１９は  空気混合部
２０は  空気混合部ジョイント
２１は  ポンプへのジョイント
２２は  シャワー
２３は  ろ過機
２４は  浴槽足
２５は  ポンプのジョイント
【図１】
2004208991.tif 000003
【図２】
2004208991.tif 000004
【図３】
2004208991.tif 000005
【図４】
2004208991.tif 000006
【図５】
2004208991.tif 000007
【図６】
2004208991.tif 000008
【図７】
2004208991.tif 000009
【図８】
2004208991.tif 000010
(57)【要約】［課題］  脱水機とそれを囲む容器の間に発生するカビ、汚れなどを除去する為に脱水機を取り外す事が安全上出来なかったが、脱水機を安全かつ簡単に分解し、取り出すシステムを可能にしたことにより、大量に洗剤を使わなくても綺麗に掃除出来るようにした。［解決手段］  脱水機を分割して、その一部分をスライドさせながら取り外すして、掃除出来るようにする。強度の点においては、脱水機本体１は、縦横の骨組み状態になっている為丈夫な構造となっている。安全面においても、スライド部分が、勝手に外れないようにＴ字状態のスライド式にしてあり、フックを解除しなければ外れることは無く、安心して使用できる。また、脱水機本体１の回転により、洗濯物がスライド部分にひかからないように、脱水機本体１と脱水機の取り出し部品２の内側の面を段差のないようにした。【選択図】    図１
2004208992.tif 000002
【特許請求の範囲】
【請求項１】
脱水機だけを分割し取り出して脱水機本体と洗濯機の裏側が簡単に掃除できる。分割する数は何分割でも良いが４分割位が手も入り強度も保つことが出来てなおよい。
【請求項２】
脱水機の取り出し部品が安全かつ丈夫で簡単に取り出したり、取り付けするため、溝の部分をＴ字状のスライド式にした。なおスライドの形状は、脱水機本体と脱水機の取り出し部品が勝手に外れなければ、Ｓ字、Ｏ字、三角等でも良い。
【請求項３】
脱水機が回転した時、衣類が脱水機本体と脱水機の取り出し部品の境目にひかからないようにするために図５のように、かどは、丸みをつけ更に脱水機本体と脱水機の取り出し部品の内側の面を段差のないようにした。
【発明の詳細な説明】
【０００１】
［発明の属する技術分野］
洗濯機に使われている脱水機本体を分解して脱水機本体の裏側及び、洗濯機の裏側を掃除できるように、したものである。
【０００２】
［従来の技術］
従来より、脱水機本体は安全と強度を維持するため分解掃除が出来ず、大量の洗剤を使用してカビ等を除去していたが、綺麗に除去できなかった。
【０００３】
［発明が解決しようとする課題］
洗剤だけでは、汚れは取り除きにくいし、大量の洗剤を１度の使用で、捨てるのは環境に良くない。なるべく洗剤を使用しないで掃除できるようにした。
【０００４】
［課題を解決するための手段］
脱水機本体を安全で強度も損なわなく、しかも簡単に分解掃除できるように脱水機の取り出し部品２をスライドさせて取り外しできるようにした。
【０００５】
［発明の実施の形態］
以下、本発明の実施の形態について説明する。
（イ）脱水機本体１についているフック３を外して脱水機の取り出し部品２をスライドさせて取り外し出来るようにする。
（ロ）脱水機本体１と脱水機の取り出し部品２の内側面は、段差のないようにする。
（ハ）スライドする溝の部分は、Ｔ字状にして勝手に外れないようにする。
【０００６】
［発明の効果］この発明は、カビ等の汚れが簡単に手で除去できる為、洗濯物にカビ等がつかなくなる。更に極わずかな洗剤しか使用しないので環境にやさしい。
【図面の簡単な説明】
【図１】本発明の全体面図である。
【図２】本発明の本体の図面である。
【図３】本発明本体の使用状況を示す内側から見た図面である。
【図４】本発明の脱水機の取り出し部品の図面である。
【図５】本発明の本体の中央部分の横断面図である。
【図６】本発明の本体の上から見た図面である。
【符号の説明】
１  脱水機本体
２  脱水機の取り出し部品
３  フック
４  洗濯機
【図１】
2004208992.tif 000003
【図２】
2004208992.tif 000004
【図３】
2004208992.tif 000005
【図４】
2004208992.tif 000006
【図５】
2004208992.tif 000007
【図６】
2004208992.tif 000008
(57)【要約】【目的】遊戯台の防犯性の向上を計ると共に前面扉部の軽量化を計ること。【構成】１枚のガラス板１に直接蝶番部２を取り付け同蝶番の固定側を、下方の球打ち込み部をのぞいて同ガラス板の全周囲を閉鎖する構造にして内枠３に取り付けたガラス受け枠５に取り付けて、遊戯台の前面ガラス扉を構成する。【選択図】    図１
2004208987.tif 000002
【特許請求の範囲】
【請求項１】
ガラス板（１）に直接蝶番部（２）を取り付け、同蝶番の固定側は内枠（３）に取り付けたガラス受け枠（５）に固定する。同ガラス受け枠のガラス当たり部にはガラス板厚分のガラス受け凹部（４）を設け且つ下方の球打込開口部（１５）を除くガラス板全周囲を同ガラス受け枠で閉鎖する構造にして内枠（３）に取り付けて構成する。遊戯台の前面ガラス扉。
【請求項２】
請求項１に於いてガラス受け凹部（４）を内枠（３）本体に設け、且つ蝶番部（２）の固定側も同内枠に直接取り付けてなる遊戯台の前面ガラス扉。
【発明の詳細な説明】
【０００１】
【発明の属する技術分野】
本発明はパチンコ遊戯台の前面ガラス扉の構造に関するものである。
【０００２】
【従来の技術】
従来パチンコ遊戯台の前面扉には内側のパチンコ球の当たる遊戯面側と外側の接客面側用の２枚のガラス板が一組になって前面扉に取り付けられたものが使用されている。
（従来の技術例として、特許公開２００１−１７６３１、特許公開２００２−６６０６６、特許公開２０００−２１６５９０、他図４参照）
【０００３】
【発明が解決しようとする課題】
上記のような従来の２枚組のガラス板を前面扉に取り付けた構造の扉を使用した場合には、先ず前面扉が重くなり開閉の際の衝撃やその重さによる歪み等も生じ易いと云う問題があり。一方遊戯台の性格上前面扉は出来るだけ軽量なものが望ましくしたがってその剛性は余り高くない、為にその弱点を利用して内枠と前面扉の隙間からセルロイド板やピアノ線を使用して不正行為を働く者が後を断たない。  更に遊戯台を組み立て製作する過程に於いて品質確認の為、パチンコ球を用いて試し打ちをする場合があるが、従来の扉構成であると前面扉部分が完成品となって内枠に取り付けられてから、即ち組み立ての最終段階でしかこの試し打ちは出来ないが、各部分が互いに離れた場所で製作される事が多い都合上各部分は部分完成品として単品で品質確認出来る事が望ましいが従来の構造では内枠側本体部分の完成品質確認は最終段階でしかできなかった。
【０００４】
【課題を解決するための手段】
本発明はその前面のガラス板を２枚組でなく遊戯面側の１枚を簡単な開閉部を設けて内枠側に取り付け、接客面側の１枚は前面扉に取り付けるかガラス板でなく樹脂製のレンズを使用する等して前面扉の軽量化を計ると共に、内枠側に取り付けるガラス板の周囲の閉鎖性を良くして防犯性の向上計る。
【０００５】
【発明実施の形態】
本発明の実施の形態を実施例にもとづき図面を参照にして説明する。
図１に於いてガラス板１の左側上下に蝶番部２を取り付けその蝶番の固定側はガラス受け枠５に固定する、そのガラス受け枠５のガラス板外周が当たる部分にはガラス板厚み分のガラス受け凹部４を設け且つそのガラス受け枠５は下方の球打込開口部１５を除くガラス板全周囲を閉鎖する形の構造にして内枠３に取り付ける、更にガラス受け枠５の右方にはガラス板を保持し開閉出来る保持部６を取り付けておく、一方前面扉蝶番１８によって内枠３に取り付けた前面扉７には透明レンズ部８が取り付けてある。
図２は図１に於いて記述した構成をなすガラス扉部と同様構造の物の他の実施例の横断面図であるがこの例ではガラス保持部にマグネットキャッチ１６を使用している例である。
図３は同じく本発明の他の実施例であるが内枠を樹脂等の成型品とした場合にガラス受け凹部４を内枠と一体構造にした場合を示したものである。尚同図ではガラス扉の閉止用に前面扉側にガラス押え１７を取り付けた例を示す。
【０００６】
【発明実施の効果】
本発明による構造の前面ガラス扉を遊戯台の前面に採用すれば、ガラス板の全周囲は下方の球打ち込み部を除いて残りの部分全てがガラス受け枠５によって閉鎖されているので遊戯盤面とガラス板面の間に側面からセルロイド板やピアノ線を入り込ませる隙間はまったく無く、図４に示した様な従来の前面扉におけるような側面からの不正行為を防ぐ為の防犯仕切板１４のようなものは不要になるばかりでなく防犯性も向上させる事が出来る。又前面扉側に取り付けるガラス板を一枚減ずるだけで無くガラス材を図１の様に樹脂性の透明レンズに変えれば前面扉の重量は一層軽くなり開閉動作時の衝撃は減り重さに因る歪みも減ずることになる。更に内枠に直接簡単な構造のガラス扉が取り付けられたことにより内枠部分本体のみの完成段階でパチンコ球を使用しての試し打ちが可能になり組み立て行程の作業性の向上を計る事が出来る。
【０００７】
以上のように本発明の前面ガラス扉構造を採用すれば防犯性が向上するだけでなく、前面扉の軽量化が可能になり、製造行程の合理化にも寄与することが出来る。
【図面の簡単な説明】
【図１】本発明の実施例の見取り図である。
【図２】本発明の実施例の中央部横断面図である。
【図３】本発明の他の実施例の横断面図である。
【図４】従来の技術例の横断面図である。
【符号の説明】
１、    ガラス板
２、    蝶番部
３、    内枠
４、    ガラス受け凹部
５、    ガラス受け枠
６、    保持部
７、    前面扉
８、    透明レンズ部
９、    内側ガラス板
１０、    外側ガラス板
１１、    ガラス枠
１２、    前面扉枠
１３、    化粧板部
１４、    防犯仕切板
１５、    球打込開口部
１６、    マグネットキャッチ
１７、    ガラス押え
１８、    前面扉蝶番
【図１】
2004208987.tif 000003
【図２】
2004208987.tif 000004
【図３】
2004208987.tif 000005
【図４】
2004208987.tif 000006
(57)【要約】【目的】遊戯盤面に取り付ける内レールとアウト玉出口金具部の組みつけ工程の簡素化を計る事。【構成】内レール２本体に曲がり形状のガイド面１１に沿ったフランジ部１０を設け且つ中央下部にはアウト玉出口部を設けて単品化し、更に遊戯盤への取り付け固定用の止め爪８も一体成形して加工工程の簡素化も計る。【選択図】    図１
2004208986.tif 000002
【特許請求の範囲】
【請求項１】
下方にアウト玉出口部（４）を備えガイド面（１１）に沿ったフランジ部（１０）と一体に成型してなるパチンコ遊戯台の内レール（２）。
【請求項２】
請求項１に於いて内レール（２）の遊戯盤本体（１）への固定用に止め爪（８）を一体に設けてなるパチンコ遊戯台の内レール。
【発明の詳細な説明】
【０００１】
【発明の属する技術分野】
本発明はパチンコ遊戯台の遊戯盤の内レールの構造に関するものである。
【０００２】
【従来の技術】
現在パチンコ遊戯台の内レールは帯状平板の一部を成形加工したものに位置決めピンが取り付けられた物が主として使用されその中央下方に位置するアウト玉出口には別体のアウト玉出口金具が取り付けられている。
（従来の技術例として、特許公開平１１−３１９２０４、特許公開２０００−１４０２３９、特許公開２００１−２９３１５８、他、図２参照）
【０００３】
【発明が解決しようとする課題】
上記のような従来の帯状平板の内レールの組みつけ前の姿は帯状弾性体でありそれを遊戯盤に組みつける際には遊戯盤面にレールの曲率に合わせて設けた位置決めピン差し込み穴に位置を合わせながら一本ずつ位置決めピンを挿入していかねばならずそれは手間のかかる作業である、尚その内レールに取り付けられた位置決めピンはレール本体とは別途に製作されたものを複数所定の位置に取り付けてなるもので部品点数も多くしたがってその分組み立て工数もかかる、又アウト玉出口金具は同レールの中央下部の重なる位置に取り付けることになるのでレール部と出口金具部は一体にする事が部品点数の減少となりしたがって組み立てコストの削減を計ることが出来るので望ましい事である。
【０００４】
【課題を解決するための手段】
本発明はその内レールとアウト玉出口金具部とを一体にし且つレールの曲がり形状を固定するためのフランジ部を設けて形状寸法の安定した内レールを構成し、更に内レールを遊戯盤に固定するための位置決め取り付け部を内レールと一体に成形することにより部品点数の削減と組み立てコストの削減を計る。
【０００５】
【発明実施の形態】
本発明の実施の形態を実施例にもとづき図面を参照にして説明する。
図１に於いて内レール２にはガイド面１１の曲率を固定する形状をなすフランジ部１０を設け且つ同レール部とフランジ部の中央下部にはアウト玉出口部４を設ける、更にそのフランジ部の複数箇所に止め爪８を一体に成形して内レール本体を構成する。
図３は本発明の他の実施例として内レール２の取り付けに止めクギ１２を使用したものである。
図４は本発明実施例の止め爪８の詳細形状を示すもので、遊戯盤に設けた爪止め穴９に挿入される止め爪８の形状を図示の様にＶ字状の弾性把持部１３の如くしたものである。
【０００６】
【発明実施の効果】
上記のような本発明の実施例によれば図２の従来の技術例におけるように帯状内レール６と複数の位置決め差し込みピン７とアウト玉出口金具５との多数の部品で構成されていた部分が図１では同じ機能を内レール本体部品だけのの一部品ではたすことが出来、又従来の帯状レールの様な形状の定まらないものと異なって安定した固定形状のものを遊戯盤に組みつければ良いので組み立ての作業性も良く、従って製作コストを下げる事が出来る。  尚止め爪８の形状を図４の弾性把持部１３の様にすると爪止め穴９の内面にＶ字曲げによる弾性反発力が把持力として働いて内レール２を遊戯盤本体１にしっかりと固定することが出来る。
【０００７】
以上のように本発明によれば内レールとアウト玉出口金具部を一体にして遊戯盤本体の製作費のコストを下げることができる。
【図面の簡単な説明】
【図１】本発明の実施例の見取り図である。
【図２】従来のの実施例の見取り図である。
【図３】本発明の他の実施例の見取り図である。
【図４】本発明の実施例の部分詳細平面図である。
【符号の説明】
１、    遊戯盤本体
２、    内レール
３、    外レール
４、    アウト玉出口部
５、    アウト玉出口金具
６、    帯状内レール
７、    位置決め差し込みピン
８、    止め爪
９、    爪止め穴
１０、    フランジ部
１１、    ガイド面
１２、    止めクギ
１３、    弾性把持部
【図１】
2004208986.tif 000003
【図２】
2004208986.tif 000004
【図３】
2004208986.tif 000005
【図４】
2004208986.tif 000006